(57)【要約】【課題】アースジョイントコネクタの取付作業性を向上させる。【解決手段】ジョイントコネクタＪＣは、ハウジング３０内にアース端子５０が装着されてアース板５２が外部に突出しており、アース板５２が、金属パネル８０に設けられたナット８３とボルト８７とで締め付けられて取付面８１に固定される。ナット８３から所定方向に所定距離だけ離間した位置に、断面長方形の取付孔８５が開口される。ハウジング３０の下面にはクリップ７０が形成され、その形成位置は、クリップ７０とアース板５２の挿通孔５３との配置関係が、金属パネル８０における取付孔８５とナット８３との配置関係と対応する位置に形成される。クリップ７０を取付孔８５に差し込んで、ハウジング３０を金属パネル８０に取り付けると、アース板５２の挿通孔５３がナット８３と整合した位置に位置決めされ、直ちにボルト８７の締め付け作業が行える。【選択図】  図９
2004192882.tif 000002
【特許請求の範囲】
【請求項１】
コネクタハウジング内には、相手端子と接続されるアース端子がアース部を外部に突出させて装着され、このアース部をアース用部材に対してねじ部材により締め付けて固定するようにしたアースジョイントコネクタにおいて、
前記コネクタハウジングには、前記アース用部材に設けられた被嵌合部と嵌合して、このコネクタハウジングを前記アース部が前記アース用部材の所定の固定位置と整合する位置に位置決め可能な位置決め部が設けられていることを特徴とするアースジョイントコネクタ。
【請求項２】
前記位置決め部と前記被嵌合部との嵌合部分の断面形状が異形断面であることを特徴とする請求項１記載のアースジョイントコネクタ。
【請求項３】
前記位置決め部と前記被嵌合部との嵌合部分が、前記ねじ部材の締め付け操作に伴う前記コネクタハウジングの連れ回りを規制するに足る剛性を有していることを特徴とする請求項１または請求項２記載のアースジョイントコネクタ。
【請求項４】
前記アース用部材が金属パネルであって、前記位置決め部が、前記コネクタハウジングを前記金属パネルに対して抜け止め状態に取着可能なクリップであることを特徴とする請求項１ないし請求項３のいずれかに記載のアースジョイントコネクタ。
【発明の詳細な説明】
【０００１】
【発明の属する技術分野】
本発明は、アースジョイントコネクタに関する。
【０００２】
【従来の技術】
従来、アースジョイントコネクタの一例として、特許文献１に記載されたものが知られている。これは、相手コネクタや相手端子が嵌合される接続部を設けたコネクタハウジングに対して、アース部を端部に設けるとともにこれと接続された複数の端子片を突設してなるアース端子が、各端子片を接続部に臨ませ、かつアース部を外部に突出させて装着された構造であって、アース部を金属パネル等のアース用部材に固定したのち、アース用の電線の端末に接続された相手端子や、それらを収容した相手コネクタを接続部に嵌合することにより、アース用電線をまとめてアースに落とすものである。
【０００３】
【特許文献１】
実開平７−８９７６号公報
【０００４】
【発明が解決しようとする課題】
ここで、アース部を金属パネルに固定する具体的な手段としては、アース部に挿通孔を開口する一方、金属パネルにナットを固着し、挿通孔に挿通したボルトをナットに螺合して締め付けることで固定していた。しかしながらこの方法では、ボルト締めを行う前に、アース部の挿通孔を金属パネルのナットにいちいち位置合わせしなければならず、取付位置によっては目視し辛い場合があって、作業性が必ずしも良くないという問題があった。
本発明は上記のような事情に基づいて完成されたものであって、その目的は、アースジョイントコネクタの取付作業性を向上させるところにある。
【０００５】
【課題を解決するための手段】
上記の目的を達成するための手段として、請求項１の発明は、コネクタハウジング内には、相手端子と接続されるアース端子がアース部を外部に突出させて装着され、このアース部をアース用部材に対してねじ部材により締め付けて固定するようにしたアースジョイントコネクタにおいて、前記コネクタハウジングには、前記アース用部材に設けられた被嵌合部と嵌合して、このコネクタハウジングを前記アース部が前記アース用部材の所定の固定位置と整合する位置に位置決め可能な位置決め部が設けられている構成としたところに特徴を有する。
請求項２の発明は、請求項１に記載のものにおいて、前記位置決め部と前記被嵌合部との嵌合部分の断面形状が異形断面であるところに特徴を有する。
【０００６】
請求項３の発明は、請求項１または請求項２に記載のものにおいて、前記位置決め部と前記被嵌合部との嵌合部分が、前記ねじ部材の締め付け操作に伴う前記コネクタハウジングの連れ回りを規制するに足る剛性を有しているところに特徴を有する。
請求項４の発明は、請求項１ないし請求項３のいずれかに記載のものにおいて、前記アース用部材が金属パネルであって、前記位置決め部が、前記コネクタハウジングを前記金属パネルに対して抜け止め状態に取着可能なクリップであるところに特徴を有する。
【０００７】
【発明の作用及び効果】
＜請求項１の発明＞
コネクタハウジングに設けられた位置決め部を、アース用部材の被嵌合部に嵌合することで、アース部がアース用部材における所定の固定位置に位置決めされ、引き続いてねじ部材の締め付け作業が行われる。
ねじ締めを行う前においてアース部の位置決めを迅速にかつ正確に行うことができ、もってアースジョイントコネクタの取付作業性を向上させることができる。
＜請求項２の発明＞
位置決め部と被嵌合部との嵌合部分の断面形状を異形断面にするといった簡単な手段でもって、アース部の位置決めが迅速かつ正確に行われる。
【０００８】
＜請求項３の発明＞
ねじ部材の締め付け作業を行っている際にコネクタハウジングが連れ回りすることが阻止されるから、コネクタハウジングを回り止めのためにいちいち押さえておく必要がなく、作業がより簡単となる。
＜請求項４の発明＞
クリップによりコネクタハウジングを金属パネルに対して抜け止め状態に取着することに伴い、アース部の位置決めを自ずから行うことができる。
【０００９】
【発明の実施の形態】
以下、本発明の一実施形態を図１ないし図１１に基づいて説明する。
図１において、符号ＪＣは本発明に係るジョイントコネクタであって、このジョイントコネクタＪＣに対して、相手コネクタである電源側コネクタ１０と、電装品側コネクタ２０とが互いに反対側の面から嵌合されるようになっている。また、ジョイントコネクタＪＣは、アース用部材である金属パネル８０に取り付けられるようになっている。
【００１０】
先に相手コネクタについて説明する。
電源側コネクタ１０は、合成樹脂からなる１個の雌側のコネクタハウジング１１（以下、単に電源側ハウジング１１という）を備えており、この電源側ハウジング１１は、図３及び図５に示すように、横長断面をなすブロック状に形成されている。この電源側ハウジング１１内には、前後方向を向いたキャビティ１２が、１６個ずつ２段にわたって形成されている。各キャビティ１２の前面には、後記する相手のジョイント端子６０のタブ５５Ｂが挿入される端子挿入口１３が開口されている。
【００１１】
各キャビティ１２内には、電線２５の端末に固着された雌端子２６が後方（図５の右側）から挿入され、底面に設けられたランス１４により一次係止され、またリテーナ１５で二重係止されて収容されるようになっている。なお、キャビティ１２によっては、雌端子２６が挿入されない、いわゆる空きキャビティとなるものがある。
電源側ハウジング１１の上面の幅方向の中央部には、左右で一対の保護壁１７で挟まれるようにしてロックアーム１６が設けられているとともに、適宜に逆挿入防止用のリブ１８が立てられている。
【００１２】
電装品側コネクタ２０は、同じく合成樹脂からなる３個のサブコネクタハウジング（以下、それぞれ第１サブハウジング２１Ａ、第２サブハウジング２１Ｂ及び第３サブハウジング２１Ｃという）を備えている。
図２に示すように、第１サブハウジング２１Ａは、３個の中では一番大きいブロック状に形成され、その内部には、キャビティ１２が、７個ずつ３段にわたって形成され、キャビティ１２の前面には、同じように相手のアース端子５０またはジョイント端子６０のタブ５５Ａ，５５Ｂが挿入される端子挿入口１３が開口されている。
キャビティ１２内には、詳しくは図示しないが、電線２５の端末に固着された雌端子２６が挿入され、ランス１４、リテーナ１５により二重係止されて収容される。
また、第１サブハウジング２１Ａの上面には、保護壁１７で挟まれたロックアーム１６と、逆挿入防止用のリブ１８とが設けられている。
【００１３】
第２サブハウジング２１Ｂは、第１サブハウジング２１Ａと比較して、横幅が小さくかつ背が低い外形形状に形成され、その内部には、同じく雌端子２６を二重係止して収容可能なキャビティ１２が４個ずつ２段に形成されているとともに、上面には、保護壁１７で挟まれたロックアーム１６が設けられている。
第３サブハウジング２１Ｃは、第１サブハウジング２１Ａと比較して、背の高さが同じで横幅が小さくなった外形形状をなし、雌端子２６を二重係止して収容可能なキャビティ１２が４個ずつ３段に形成され、上面には同様に、保護壁１７で挟まれたロックアーム１６が設けられている。
【００１４】
ジョイントコネクタＪＣは、合成樹脂からなるコネクタハウジング３０を備えている。このコネクタハウジング３０は扁平なブロック状をなし、電源側コネクタ１０と電装品側コネクタ２０との嵌合面３１，３２を互いに反対側の面に設定している。
電源側コネクタ１０との嵌合面３１には、図３に示すように、電源側ハウジング１１を嵌合可能な１個の電源側嵌合凹部３３が形成されている。各電源側嵌合凹部３３の上面には、電源側ハウジング１１に設けられたロックアーム１６が挿入可能な溝３４、及び保護壁１７、リブ１８が挿入可能な溝３５がそれぞれ形成され、ロックアーム１６が挿入される溝３４には、図５に参照して示すようにロックアーム１６に形成されたロック孔１６Ａに嵌まるロック突部３６が形成されている。
【００１５】
一方の電装品側コネクタ２０との嵌合面３２には、図２に示すように、仕切壁３７で仕切られた３個の電装品側の嵌合凹部３８Ａ，３８Ｂ，３８Ｃが横方向に並んで形成され、それぞれの嵌合凹部３８Ａ，３８Ｂ，３８Ｃ内に、電装品側コネクタ２０の第１ないし第３のサブハウジング２１Ａ〜２１Ｃが個別に嵌合可能となっている。
それぞれの嵌合凹部３８Ａ〜３８Ｃの上面には、第１ないし第３のサブハウジング２１Ａ〜２１Ｃに設けられたロックアーム１６、保護壁１７及びリブ１８が挿入可能な溝３４，３５が形成され、同様にロックアーム１６が挿入される溝３４に、ロックアーム１６のロック孔１６Ａに嵌まるロック突部３６が形成されている。
なお、両面の嵌合凹部３３と、嵌合凹部３８Ａ〜３８Ｃとの奥面同士の間には、厚肉の中間壁４０が形成されている。
【００１６】
コネクタハウジング３０内には、アース端子５０と、ジョイント端子６０とが、上下３段に分かれて装着されている。
アース端子５０は、一番下の段に装着されるようになっている。このアース端子５０は、図８に示すように、コネクタハウジング３０の横幅にほぼ匹敵する長さを持ったバスバー５１を有し、その長さ方向の一端側に、挿通孔５３が開口された幅広のアース板５２が、一段下がった状態で一体に形成されている。
バスバー５１における図８の手前側の端縁からは、複数本（この例では１５本）のタブ５５Ａが並んで突設されている。これらのタブ５５Ａは詳細には、サブハウジング２１Ａ〜２１Ｃに設けられたキャビティ１２と同じピッチで形成され、左側から順次に、７本、４本及び４本ずつに分かれて形成されている。
【００１７】
このアース端子５０は、インサート成形によってコネクタハウジング３０内に装着されている。具体的には、バスバー５１が中間壁４０内に埋設され、アース板５２はコネクタハウジング３０の一側面のうちの、電源側コネクタ１０との嵌合面３１側に寄った位置の下部から外方に向けて突出している。またタブ５５Ａは、３個の嵌合凹部３８Ａ，３８Ｂ，３８Ｃにおいて、それぞれ奥面の下部位置から嵌合凹部３８Ａ，３８Ｂ，３８Ｃ内に突出している。
【００１８】
また、一番上の段と中央の段には、それぞれジョイント端子６０が装着されるようになっている。以下、ジョイント端子を総称する場合は符号「６０」を付し、個々に説明する場合は、符号６０に添え字「Ａ〜Ｄ」を付して区別する。
ジョイント端子６０は、基本的にはバスバー５１における両端縁から、タブ５５Ｂが所定の配置で突設された形状となっている。ジョイント端子６０は、バスバー５１の長さを異にする複数のものが形成されている。例えば、一番上の段に装着されるジョイント端子６０Ａでは、図６に示すように、細長いバスバー５１を備えた１枚物となっている。一方、中央の段では、図７に示すように、バスバー５１が短寸で、かつその長さを異にした３種類のジョイント端子６０Ｂ，６０Ｃ，６０Ｄが、計５本装着されている。
【００１９】
これらのジョイント端子６０は、圧入によってコネクタハウジング３０に装着されるようになっている。そのため、中間壁４０における電源側嵌合凹部３３の奥面に相当する面には、図３及び図５に示すように、上部位置と中央位置の２位置において、上記したジョイント端子６０をほぼ緊密に挿入可能な挿入溝４１が形成されている。両挿入溝４１は、電源側嵌合凹部３３のほぼ全幅にわたって切られ、奥側は行き止まり状となっており、バスバー５１が丁度収まる奥行寸法となっている。挿入溝４１の入口には、先拡がりのテーパ状となったガイド４２が形成されている。
また、挿入溝４１の行き止まり面には、ジョイント端子６０のタブ５５Ｂが圧入状態で貫通可能な圧入孔４３が開口されている。この圧入孔４３は、タブ５５Ｂが圧入される可能性のある位置にはすべて、予め開口されている。
【００２０】
ジョイントコネクタＪＣは、車両内に配設された金属パネル８０に取り付けられるようになっている。この実施形態では、金属パネル８０は縦向きに設けられている（図９参照）。
金属パネル８０の表面の所定位置には、アース端子５０のアース板５２が取り付けられる取付面８１が設定される。この取付面８１には、図９及び図１０に示すように、円形の貫通孔８２が形成され、その裏面側にナット８３が溶接によって固定されている。
一方、上記した貫通孔８２から所定方向に所定距離だけ離間した位置には、クリップ７０の取付孔８５が開口されている。この取付孔８５は、断面長方形状に形成されている。
【００２１】
ジョイントコネクタＪＣのコネクタハウジング３０の下面には、クリップ７０が一体的に形成されている。クリップ７０の形成位置は、より具体的には、クリップ７０とアース板５２の挿通孔５３との配置関係が、金属パネル８０における取付孔８５と貫通孔８２との配置関係と対応する位置に形成されている。
クリップ７０は、取付孔８５の対向する長辺側の２辺の間に緊密に嵌まる幅を持った厚肉の基板７１を備えており、その突出端には、挿入時のガイドとして機能する頭部７２が設けられている。
【００２２】
頭部７２の後方（図１０では上方）には、一対の弾性係止片７３が形成されている。この弾性係止片７３は、コネクタハウジング３０の下面に向けて先端側が次第に開くように形成され、先端には、取付孔８５の短辺側の両側縁の裏側に係止する係止段部７４が形成されている。
また、基板７１の付け根側には、一対の挟圧片７５が形成されている。この挟圧片７５は、弾性係止片７３と対向して弾性係止片７３よりも外側に拡がった円弧状（コネクタハウジング３０側に向けて膨らんでいる）に形成され、両挟圧片７５の先端におけるコネクタハウジング３０と対向した側の面には、突部７６が形成されている。
【００２３】
続いて、本実施形態の作用を説明する。
ジョイントコネクタＪＣについては、既述したように、コネクタハウジング３０がインサート成形されることに伴って、アース端子５０がコネクタハウジング３０内に装着される。アース端子５０に列設されたタブ５５Ａは、図５及び図８に示すように、電装品側嵌合面３２に設けられた３個の嵌合凹部３８Ａ，３８Ｂ，３８Ｃにおいて、それぞれの奥面の下部位置から嵌合凹部３８Ａ，３８Ｂ，３８Ｃ内に突出している。また、アース板５２はコネクタハウジング３０の一側面から外部に突出する。
【００２４】
一方、ジョイント端子６０は、上記のように成形されたコネクタハウジング３０に対して、後付けによって装着される。ジョイント端子６０としては、ジョイントパターンと対応して、バスバー５１自体の長さが異なり、またバスバー５１の両縁から突設されたタブ５５Ｂの配置が異なる等の、複数種のものが予め準備される。
一番上の段については、図６に示すように、一枚物のジョイント端子６０Ａが、電源側嵌合凹部３３から、その奥面の上段の挿入溝４１に挿入される。途中から、挿入方向の前方を向いたタブ５５Ｂが、圧入孔４３に圧入されつつ押し込まれ、バスバー５１が挿入溝４１の行き止まり面に当たったところで押し込みが停止される。これにより、図５及び図６に示すように、電源側嵌合凹部３３と、電装品側嵌合面３２の３個の嵌合凹部３８Ａ，３８Ｂ，３８Ｃのそれぞれの奥面の上部位置から、ジョイント端子６０Ａに設けられたタブ５５Ｂが所定の配置で突出した状態とされる。
【００２５】
中央の段については、図７に示すように、短寸の各ジョイント端子６０Ｂ〜６０Ｄが、同じように電源側嵌合凹部３３から、個々に中段の挿入溝４１に挿入される。同様に、挿入方向の前方を向いたタブ５５Ｂが、圧入孔４３に圧入されつつ押し込まれ、バスバー５１が挿入溝４１の行き止まり面に当たったところで押し込みが停止される。これにより、図５及び図７に示すように、電源側嵌合凹部３３と、電装品側嵌合面３２の３個の嵌合凹部３８Ａ，３８Ｂ，３８Ｃのそれぞれの奥面の中央高さ位置から、各ジョイント端子６０Ｂ〜６０Ｄに設けられたタブ５５Ｂが所定の配置で突出した状態とされる。
ジョイントコネクタＪＣの組付けが完了すると、下段によってアースジョイントコネクタが構成され、上段と中段とによって中継コネクタが構成された状態となる。
【００２６】
このジョイントコネクタＪＣが金属パネル８０に取り付けられる。それには、図９に示すように、アース端子５０のアース板５２が上を向いた姿勢にして、クリップ７０の基板７１を、図１０の矢線に示すように取付孔８５に差し込む。クリップ７０は、弾性係止片７３が取付孔８５内に入れられることで閉じるように撓み変形し、また、挟圧片７５が金属パネル８０の表面に押し付けられることで、突部７６を寝かせながらフラットな姿勢に向けて撓み変形しつつ押し込まれる。
【００２７】
図１１に示すように、両挟圧片７５がコネクタハウジング３０の下面と金属パネル８０の表面との間でフラットな姿勢となって挟まれる位置まで押し込まれると、弾性係止片７３の係止段部７４が取付孔８５を裏側に通過することで、弾性係止片７３が復元変形して取付孔８５の短辺側に係止するとともに、突部７６を含む挟圧片７５の弾発力によって、金属パネル８０における取付孔８５の形成位置付近が、挟圧片７５と弾性係止片７３とで表裏両側から弾性的に挟持され、これによりクリップ７０、すなわちコネクタハウジング３０が、金属パネル８０に対して抜け止め、かつ回り止めされて取り付けられる。
【００２８】
このようにコネクタハウジング３０が位置決めされて取り付けられると、アース端子５０のアース板５２の挿通孔５３が、金属パネル８０の貫通孔８２、ナット８３と同心に整合した状態となる。そうしたら、ボルト８７の軸部８７Ａを、アース板５２の挿通孔５３と貫通孔８２とを通してナット８３のねじ孔に螺合し、トルクレンチ等によりボルト８７を締め付けると、アース板５２が金属パネル８０の取付面８１に固定され、かつ電気的導通が取られた状態となる。
【００２９】
上記のようにジョイントコネクタＪＣが金属パネル８０に対して取り付けられたら、ジョイントコネクタＪＣに対して、相手コネクタが嵌合される。例えば、まず電源側嵌合凹部３３に対して電源側コネクタ１０が嵌合され、ロックアーム１６のロック孔１６Ａにロック突部３６が嵌まることでロックされる。電源側コネクタ１０に収容された雌端子２６は、電源側嵌合凹部３３の奥面から突出した対応するジョイント端子６０のタブ５５Ｂと嵌合接続される。
また、電装品側嵌合面３２の３個の嵌合凹部３８Ａ，３８Ｂ，３８Ｃに対して、電装品側コネクタ２０の第１ないし第３のサブハウジング２１Ａ〜２１Ｃが順次に嵌合され、それぞれ同様にロックされる。それに伴い、各サブハウジング２１Ａ〜２１Ｃに収容された雌端子２６は、嵌合凹部３８Ａ，３８Ｂ，３８Ｃの奥面から突出した対応するアース端子５０のタブ５５Ａまたはジョイント端子６０のタブ５５Ｂと嵌合接続される。
【００３０】
このように相手コネクタが嵌合されると、電装品側コネクタ２０の各サブハウジング２１Ａ〜２１Ｃの下段に配された雌端子２６、ひいてはそれに接続された電線２５が、アース端子５０を介してアースに落とされる。
また、電源側コネクタ１０に導入された電線２５と、電装品側コネクタ２０の各サブハウジング２１Ａ〜２１Ｃの上２段に導入された電線２５とが、各段ごとにジョイント端子６０を介して所定のパターンでジョイントされる。
なお、ジョイントパターンが変更となったら、そのパターンと対応したジョイント端子を別に準備し、新たなジョイント端子を、上記と同様にコネクタハウジング３０に設けられた挿入溝４１に圧入して装着すればよい。
【００３１】
以上説明したように本実施形態によれば、コネクタハウジング３０に設けたクリップ７０を取付孔８５に差し込んで金属パネル８０に取り付けることにより、コネクタハウジング３０は、アース板５２の挿通孔５３がナット８３と整合した位置に位置決めされて固定されるから、直ちにボルト８７の締め付け作業を行うことができる。もってジョイントコネクタＪＣの取付作業性を向上させることができる。
また、クリップ７０が取付孔８５に取り付けられていることで、ボルト８７の締め付け作業を行っている際にコネクタハウジング３０が連れ回りすることが阻止されるから、コネクタハウジング３０を回り止めのためにいちいち押さえておく必要がなく、作業がより簡単となる。
【００３２】
＜参考例＞
図１２は参考例を示す。この参考例のアースジョイントコネクタ１００は雄ハウジング１０１を備え、この雄ハウジング１０１は、横長のフード部１０２を有し、フード部１０２の背面が、ハーネス領域１０３とアース領域１０４とに分けられている。ハーネス領域１０３には、複数のキャビティ１０６を上下２段に設けたタワー部１０５が連設され、各キャビティ１０６内に、ハーネスの端末に固着された雄端子（図示せず）が、タブをフード部１０２内に突出させて収容されている。
一方のアース領域１０４では、複数の端子挿入口１０７が上下２段に分かれて開口されている。またアース端子１１０が備えられ、このアース端子１１０は、バスバー１１１が２段に折り曲げられて、各段の一側縁からタブ１１２が列設されるとともに、下段のバスバー１１１の端部に目玉状のアース板１１３が形成された形状となっている。アース端子１１０は、各タブ１１２を端子挿入口１０７からフード部１０２内に突出させ、アース板１１３を側方に突出させた状態でアース領域１０４に装着されるようになっている。
【００３３】
相手コネクタ１１５は、上記した雄ハウジング１０１のフード部１０２内に嵌合可能な雌ハウジング１１６を備え、その内部には、ハーネスの端末に固着された雌端子（図示せず）を挿入可能なキャビティ１１７が、上下２段に分かれて設けられている。この相手コネクタ１１５は、正面から見た左側がハーネス領域１１８、右側がアース領域１１９となっている。
アースジョイントコネクタ１００の使用例としては、装着されたアース端子１１０のアース板１１３が、金属パネル等のアース用部材にボルト等の締結部材で締め付けられて固定される。
この状態から、雄雌のハウジング１０１，１１６を嵌合すると、雌ハウジング１１６におけるハーネス領域１１８の雌端子が、雄ハウジング１０１におけるハーネス領域１０３の対応する雄端子と接続され、一方、雌ハウジング１１６におけるアース領域１１９の雌端子が、アース端子１１０の対応するタブ１１２と接続され、アース領域１１９の雌端子に接続された電線が、アース端子１１０を介してアースに落とされることになる。
このようなアースジョイントコネクタ１００についても、雄ハウジング１０１にクリップを設けることによって、本発明を同様に適用することができる。
【００３４】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）コネクタハウジングの位置決めを図ることのみに限れば、上記実施形態のクリップに変えて、コネクタハウジングから複数本のピンを立てて金属パネルの取付孔に嵌合したり、異形断面のピンを立てて同断面の取付孔に嵌合するようにしてもよい。
（２）コネクタハウジングから１本の丸ピンを立てただけであっても、その丸ピンを中心にコネクタハウジングを回動させれば、アース板をナットと整合する位置に比較的簡単に合わせることができるから、そのようなものも本発明の技術的範囲に含まれる。
【００３５】
（３）アース板を金属パネルに固定する手段として、金属パネルからスタッドボルトを立て、これをアース板の挿通孔に通してナットで締め付ける形式のものを採用した場合にも、本発明は同様に適用できる。
（４）組み付けの手順は、例えば先に相手コネクタと嵌合しておいて、最後にアース板を金属パネルに取り付ける等、任意に設定し得る。
（５）上記実施形態では、アースジョイントコネクタに中継コネクタの機能を併設したジョイントコネクタを例示したが、アースジョイントコネクタ単体のものであってもよい。
【図面の簡単な説明】
【図１】本発明の一実施形態に係るジョイントコネクタと相手コネクタの平面図
【図２】ジョイントコネクタと電装品側コネクタの正面図
【図３】ジョイントコネクタの背面図及び電源側コネクタの正面図
【図４】ジョイントコネクタと相手コネクタの側面図
【図５】図２のＡ−Ａ線で切った相手コネクタとの嵌合前の状態を示す断面図
【図６】図２のＢ−Ｂ線断面図
【図７】図２のＣ−Ｃ線断面図
【図８】図２のＤ−Ｄ線断面図
【図９】コネクタハウジングを金属パネルに取り付ける構造を示す斜視図
【図１０】コネクタハウジングの取付動作を示す一部切欠正面図
【図１１】取付完了状態を示す一部切欠正面図
【図１２】参考例の斜視図
【符号の説明】
ＪＣ…ジョイントコネクタ
２０…電装品側コネクタ（相手コネクタ）
２５…電線
２６…雌端子
３０…コネクタハウジング
３８Ａ，３８Ｂ，３８Ｃ…（電装品側）嵌合凹部（接続部）
５０…アース端子
５２…アース板（アース部）
５３…挿通孔
５５Ａ…タブ（端子片）
７０…クリップ（位置決め部）
８０…金属パネル（アース用部材）
８１…取付面
８２…貫通孔
８３…ナット
８５…取付孔（被嵌合部）
８７…ボルト（ねじ部材）
【図１】
2004192882.tif 000003
【図２】
2004192882.tif 000004
【図３】
2004192882.tif 000005
【図４】
2004192882.tif 000006
【図５】
2004192882.tif 000007
【図６】
2004192882.tif 000008
【図７】
2004192882.tif 000009
【図８】
2004192882.tif 000010
【図９】
2004192882.tif 000011
【図１０】
2004192882.tif 000012
【図１１】
2004192882.tif 000013
【図１２】
2004192882.tif 000014